(57)【要約】【課題】  電装部品収納室への雨水の浸入を防ぎ、電装部の信頼性を向上させた空気調和機の室外機を提供する。【解決手段】  本発明の目的は、邪魔板と、ダクトカバーとによって、電装品箱の外部から直視できない位置に設けられた通風開口に対して、邪魔板とは別に更に通風開口が直視できないように設けられた水止壁と、遮水壁より収納室側に防水壁を備え、遮水壁と防水壁とで通風開口面積以上の流路断面積を有する減速室を設けた空気調和機の室外機によって達成される。【選択図】図１０
2008281286.tif 000002
【特許請求の範囲】
【請求項１】
送風機を設置した送風機室と電装部品の収納室との間に通風開口を有する遮水壁と、前記通風開口が直視できないように設けられた邪魔板と、前記邪魔板と協働して前記通風開口が直視できないように設けられたダクトカバーとを備え、電装部品の冷却風の流れが流れるように構成した空気調和機の室外機において、
前記邪魔板とは別に更に前記通風開口が直視できないように設けられた水止壁と、
前記遮水壁より前記収納室側に防水壁を備え、
前記遮水壁と前記防水壁とで前記通風開口面積以上の流路断面積を有する減速室を設けた空気調和機の室外機。
【請求項２】
送風機室からの水滴が、電装品箱内の電装部品を収納する収納室に浸入しないように、前記電装品箱の外部から直視できない位置に配設された通風開口を有する空気調和機の室外機において、
前記電装品箱の外部から前記通風開口へ向かう流れを邪魔するように設けられた水止壁と、
前記通風開口によって前記送風機室から前記収納室へ向かう流れを絞り、
前記通風開口と前記収納室との間に防水壁を配設し、この防水壁で、前記通風開口と前記防水壁との間に、前記送風機室から前記収納室へ向かう流れを拡大するための減速室を形成した空気調和機の室外機。
【請求項３】
請求項２において、
前記通風開口を前記電装品箱の外部から直視できない位置に配設するよう、前記電装品箱の電装部カバーを延伸させて下方に折り曲げてダクトカバーとし、前記通風開口の形成された遮水壁から突出した邪魔板を設けたことを特徴とする空気調和機の室外機。
【請求項４】
請求項１乃至３の何れかにおいて、
前記防水壁の上縁を、前記通風開口より上方に配設したことを特徴とする空気調和機の室外機。
【請求項５】
室外ファンが発生する負圧によって冷却空気を電装品箱内に導入して、前記電装品箱の送風機室開口を介して前記室外ファンが配設された送風機室まで吸込むような流れで電装品箱内を冷却することができる空気調和機の室外機において、
前記送風機室からのミストが前記電装品箱内の電装部品を収納する収納室に浸入しないように、前記送風機室開口から前記流れの上流に向かって、
前記電装品箱の外部から直視できない位置に配設された通風開口と、
前記電装品箱の外部から前記通風開口へ向かう流れを邪魔するように設けられた水止壁と、
前記通風開口を前記流れの上流に向かって通過したミストの進行を減速する減速室と、
前記減速室と前記収納室との間に配設された収納室開口とを設けた空気調和機の室外機。
【請求項６】
請求項５において、
前記収納室開口を、前記通風開口より上方に配設したことを特徴とする空気調和機の室外機。
【請求項７】
上記請求項の何れかにおいて、
前記通風開口は、複数の開口であることを特徴とする空気調和機の室外機。
【請求項８】
上記請求項の何れかにおいて、
前記減速室の底部に排水機構を設けたことを特徴とする空気調和機の室外機。
【請求項９】
請求項８において、
前記送風機室から前記収納室へ向かう前記減速室の長さのうち、前記通風開口が配設された高さの前記減速室の長さを、前記排水機構が配設された付近の前記減速室の長さよりも大きくしたことを特徴とする空気調和機の室外機。
【請求項１０】
請求項８または９において、
前記排水機構を前記送風機室と連通させたことを特徴とする空気調和機の室外機。
【請求項１１】
請求項１，２または５の何れかにおいて、
前記流れは前記通風開口で最も絞られることを特徴とする空気調和機の室外機。
【請求項１２】
請求項１，２または５の何れかにおいて、
前記流れが流れる連通路は、前記通風開口の流路断面積が最も小さいことを特徴とする空気調和機の室外機。
【請求項１３】
請求項５又は６において、
前記流れは前記収納室開口で最も絞られることを特徴とする空気調和機の室外機。
【請求項１４】
請求項５又は６において、
前記流れが流れる連通路は、前記収納室開口の流路断面積が最も小さいことを特徴とする空気調和機の室外機。
【発明の詳細な説明】
【技術分野】
【０００１】
本発明は空気調和機にかかり、特に室外機の電装部の通風構造に関する。
【背景技術】
【０００２】
空気調和機は室内空気を熱交換器に循環させて、加熱，冷却，除湿機能などにより調和空気にし、これを室内に吹出すことにより室内を空気調和する。このとき、室外機の電装部では圧縮機，送風機を駆動するため大きな電流を処理する。このため、電装部からの発熱も大きくなるので、その冷却を効果的に行う必要がある。
【０００３】
これに対して、室外熱交換器に熱交換用の外気を通風させる室外送風機の負圧を利用して電装部に冷却用の空気を導入することが行われている。しかし、雨天のときには、室外送風機の羽根に掛かった雨水が回転する羽根に弾き飛ばされて送風機室内に飛散し、電装部品の冷却用空気の吸出し口から電装部品収納室に浸入し、電装部品の故障などを引き起こす恐れがある。
【０００４】
このような、送風機室からの雨水の浸入を阻止するため、種々の工夫が凝らされている。
【０００５】
この種の従来技術として、特許第３７５５４７８号公報，特許第３１３９３６５号公報，特開２０００−０４６３７６号公報，特許第３３５７８１８号公報が知られている。
【０００６】
特許文献１は熱交換室の送風機の吸込側に開口する冷却空気排気口の冷却空気流通方向の上流側に電装品収納部とは区画された前後方向の排出通路を設け、排出通路の後側で電装品箱に、前側で排気口に連通する。これにより、風雨などによる電装品箱内へのミストの浸入を抑制することにより、電装品のショートや機能損壊などの事故を防止できる空気調和機の室外ユニットについて述べている。
【０００７】
特許文献２は垂直な排気ダクト内に平面図上でラップし、上下に離間する２枚の水平リブを設け蛇行通路と成し、その奥に冷却空気の排出口を開口し、雨水の電気品室内への浸入を防止する空気調和機用室外機について述べている。
【０００８】
特許文献３は収容箱左方端、下方の部位に熱交換器室への通風孔を形成、右方には開口部を形成し、通風孔に立て板と遮蔽板で雨水防止する。これにより、通風を確保し、且つ、雨水の浸入を防止して、パワートランジスタの良好な放熱と電気品の濡れを防いで信頼性を維持する室外ユニット及び空気調和機について述べている。
【０００９】
特許文献４は電装ボックスを固定する金属製のビスに結露した水を電装ボックスの外部に導く排出穴を設け、結露水の電装基板上への滴下を防止し、短絡等の恐れをなくし、結露を防ぐためのビスを覆う断熱材やその貼付け作業を不要とする空気調和機の室外ユニットについて述べている。
【００１０】
【特許文献１】特許第３７５５４７８号公報
【特許文献２】特許第３１３９３６５号公報
【特許文献３】特開２０００−０４６３７６号公報
【特許文献４】特許第３３５７８１８号公報
【発明の開示】
【発明が解決しようとする課題】
【００１１】
近年、技術の進歩に伴なって、電装部品の小型化，高性能化が進んできている。小型化または、高性能化した電装部品を使用すると、製品の小型化，高性能化が実現できるため、このような電装部品を採用するため、各方面で積極的な取組みが行われている。
【００１２】
空気調和機の室外機では、圧縮機などを駆動するため、電装部で大きい電流を処理する必要がある。このような電装部品を適性に冷却するためには、電装部品の周囲に十分な量の冷却用の空気を確保してやらなければならない。しかし、小型化した電装部品を使用して、その利点を活かすためには電装部品の収納室を縮小し、製品寸法を小さくする必要があり、必然的に電装部品の収納室は狭くなり、電装部品の冷却用空気の流れる風路も狭くなって冷却用空気の通風量が確保され難くなる。
【００１３】
このため、冷却空気の風路上のネックとなりがちな電装部品の収納室と送風機室との間の風路を通常時は冷却空気が十分流れるように、雨天時には送風機から弾かれた雨水が電装部品の収納室に浸入し無いように構成する必要がある。
【００１４】
特許文献１では気流に大きな減速領域が無いため、気流に乗った水滴がそのまま電気品室内に運ばれてしまう。
【００１５】
特許文献２，３では気流の減速領域がそのまま電気品室内になるので、減速した水滴がそのまま電気品室内に落下してしまう。
【００１６】
特許文献４では熱交換器で冷却されたビスへの結露水の処理に関するものであり、雨水の進入に対する言及は無い。
【００１７】
また、本発明が解決しようとする課題は、空気調和機の室外機の電装部品の冷却効果を維持しつつ、送風機の羽根からの雨水が電装部品の収納室に浸入することを阻止し、万が一、水滴が送風機室と電装部との区画壁を通過しても、気流と水滴を効果的に分離し、電装部品の収納室への水滴の浸入を防止できる空気調和機の室外機を提供することである。
【００１８】
本発明の目的は、電装部の信頼性を向上させることである。
【課題を解決するための手段】
【００１９】
本発明の目的は、
送風機を設置した送風機室と電装部品の収納室との間に通風開口を有する遮水壁と、前記通風開口が直視できないように設けられた邪魔板と、前記邪魔板と協働して前記通風開口が直視できないように設けられたダクトカバーとを備え、電装部品の冷却風の流れが流れるように構成した空気調和機の室外機において、
前記邪魔板とは別に更に前記通風開口が直視できないように設けられた水止壁と、
前記遮水壁より前記収納室側に防水壁を備え、
前記遮水壁と前記防水壁とで前記通風開口面積以上の流路断面積を有する減速室を設けた空気調和機の室外機
によって達成される。
【００２０】
また、本発明の目的は、
送風機室からの水滴が、電装品箱内の電装部品を収納する収納室に浸入しないように、前記電装品箱の外部から直視できない位置に配設された通風開口を有する空気調和機の室外機において、
前記電装品箱の外部から前記通風開口へ向かう流れを邪魔するように設けられた水止壁と、
前記通風開口によって前記送風機室から前記収納室へ向かう流れを絞り、
前記通風開口と前記収納室との間に防水壁を配設し、この防水壁で、前記通風開口と前記防水壁との間に、前記送風機室から前記収納室へ向かう流れを拡大するための減速室を形成した空気調和機の室外機
によって達成される。
【００２１】
また、本発明の目的は、
室外ファンが発生する負圧によって冷却空気を電装品箱内に導入して、前記電装品箱の送風機室開口を介して前記室外ファンが配設された送風機室まで吸込むような流れで電装品箱内を冷却することができる空気調和機の室外機において、
前記送風機室からのミストが前記電装品箱内の電装部品を収納する収納室に浸入しないように、前記送風機室開口から前記流れの上流に向かって、
前記電装品箱の外部から直視できない位置に配設された通風開口と、
前記電装品箱の外部から前記通風開口へ向かう流れを邪魔するように設けられた水止壁と、
前記通風開口を前記流れの上流に向かって通過したミストの進行を減速する減速室と、
前記減速室と前記収納室との間に配設された収納室開口とを設けた空気調和機の室外機
によって達成される。
【発明の効果】
【００２２】
本発明によれば、電装部品収納室への雨水の浸入を防ぐので、電装部の信頼性が向上する。
【発明を実施するための最良の形態】
【００２３】
以下、本発明の空気調和機の一実施例について図を用いて説明する。まず、空気調和機の全体構成を、図１〜図３を用いて説明する。図１は空気調和機の構成図である。図２は室外機の内部構造斜視図である。図３は室外機の天板を外した平面図である。図４は室外機の前面板を外した正面図である。図５は図４のＡＡ断面図である。図６は室外ファンの回転と雨滴の飛ぶ方向を示す図である。図７は通常時の連通路部の気流を示す図である。図８は雨天時の連通路部の雨滴と気流を示す図である。図９は雨天で強逆風時に室外ファンの回転と雨滴の飛ぶ方向を示す図である。図１０は雨天で強逆風時の連通路部の雨滴と気流を示す図である。図１１は減速室の無い場合の水滴が浸入する説明図である。
【００２４】
以下、本発明の空気調和機の実施例について図を用いて説明する。
【実施例１】
【００２５】
まず、空気調和機の全体構成を、図１を用いて説明する。図１は空気調和機の構成図である。
【００２６】
図１に示すのは空気調和機であり、室内機２と室外機６を接続配管８でつなぎ、室内を空気調和する。室内機２は筐体２１に室内熱交換器，室内送風機，露受皿等を取付け、化粧枠２３で覆い、化粧枠２３の前面に前面パネル２５を取付けた構成になっている。化粧枠２３には室内空気を吸込む空気吸込み口２７と、温湿度が調和された空気を吹出す空気吹出し口２９とが上下に設けられている。
【００２７】
室内機２は、内部に図示しない電装品ボックスに制御基板を備え、制御基板にマイコンが設けられる。マイコンは図示しない室内温度センサー，室内湿度センサー等の各種のセンサーからの信号を受け、リモコン５からの操作信号を受光部３９６で受けると共に、室内送風機等を制御し、且つ、室外機６との通信を司るなど、室内機２を統括して制御する。
【００２８】
室外機６は、ベース６１に圧縮機，室外熱交換器，室外送風機を搭載し、外筐６２で覆い、配管接続バルブ７８に室内機２からの接続配管８を接続している。
【００２９】
この空気調和機１を運転する時には、電源に接続してリモコン５を操作し、所望の冷房，除湿，暖房等の運転を行う。
【００３０】
冷房等の運転の場合、リモコン５から運転操作の信号がなされると、マイコンは、リモコン５からの操作信号または自動運転が設定されていれば各種センサーからの情報に基づいて冷房等の運転モードを決定する。
【００３１】
次に、室外機６の制御部に決定した運転モードに応じた運転を指示すると共に、決定した運転モードに従って室内送風機を駆動し、空気吸込み口２７から室内熱交換器に室内空気を流通させる。室外機６の制御部は室内機２からの指示に従い、圧縮機，送風モータ，制御弁等を制御し、圧縮機からの冷媒を冷凍サイクルに循環させると共に、室外空気吸込み部から室外熱交換器に室外空気を流通させる。斯くして、冷房等の運転が行われる。
【００３２】
室外機６について図１〜図４を用いて更に詳しく述べる。図２は室外機の内部構造斜視図、図３は室外機の天板を外した平面図、図４は室外機の前面板を外した正面図である。
【００３３】
外筐６２は前面板６２１，側面板６２３，天板６２２等からなり、室外熱交換器７３に対向する外面に室外空気の吸込み部が設けられ、室外ファン６３１に対向する前面板６２１に自在に空気の流通ができるファングリル６３５が設けられている。室外ファン６３１は室外熱交換器７３が上流側に、ファングリル６３５が下流側になるように回転駆動され、上述のように室外空気を室外熱交換器７３に流通させる。
【００３４】
室外熱交換器７３は、室外機６の側面から背面にかけて略Ｌ字状に配設され、できるだけ大きい面積を確保し熱交換能力を高めている。室外ファン６３１も、できるだけ大口径のものが使用されている。
【００３５】
室外ファン６３１と圧縮機７５の間には仕切板６１１があって、送風機室６４と機械室６８とを仕切っている。送風機室６４には前述のように室外ファン６３１，室外熱交換器７３が配設されている。機械室６８には、圧縮機７５，アキュムレータ７６，冷媒送り管等が配設されている。
【００３６】
圧縮機７５，送風モータ６３３等を駆動する電装部品は製作時やメンテナンス時の取扱いを容易にするため電装箱６５に収納され、送風機室６４と機械室６８とに跨って、仕切板６１１の上部に設置される。
【００３７】
これらの圧縮機７５，送風モータ６３３等を駆動するには、大きな出力が必要となり、それらを駆動する電装部品の容量が大きくなる。このため、電装部からの発熱も大きくなるので、その冷却を効果的に行う必要がある。
【００３８】
これに対して、室外熱交換器７３に熱交換用の外気を通風させる室外ファン６３１の負圧を利用して電装部に冷却用の空気を導入する。
【００３９】
この部の構造を図２〜図７を用いて説明する。図５は図４のＡＡ断面図、図６は室外ファンの回転と雨滴の飛ぶ方向を示す図、図７は通常時の連通路部の気流を示す図である。
【００４０】
圧縮機７５，送風モータ６３３等を駆動する電装部品６５４ｂは基板６５４ａ等に取付けられ電装部６５４をなし、電装部収納室６５ａ内に収納される。
【００４１】
収納室６５ａは電装部ベース６５３，電装部カバー６５９，電装部ベース６５３の一部をなす防水壁６５３ｄ，電装部前壁６５３ｆ、及び電装部後壁６５３ｇに囲まれ、その側面板６２３側は図２，図６に示すように開放されて機械室開口６５３ｈとなり、収納室６５ａは機械室６８に連通している。
【００４２】
電装部ベース６５３は図７に示すようにその送風機室６４側に複数の通風開口６５３ｂを開口した遮水壁６５３ａを有し、前記防水壁６５３ｄとの間に減速室６５ｂを設けている。
【００４３】
減速室６５ｂの底部の前面板６２１側の端部には排水口が開けられ、排水機構６５３ｃを形成している。排水機構６５３ｃの送風機室６４側は図５に示すように前面板６２１に固定されたファンリング６２１ｅと前面板６２１との遇部に開口している。
【００４４】
このため、雨天時に室外ファン６３１に雨水が当たって、回転する羽根に弾かれて雨滴が飛び跳ねても、排水機構６５３ｃの開口はファンリング６２１ｅの陰に隠れており且つ開口がファン側に向いていないので、回転する羽根に弾かれた勢いのある雨滴が排水機構６５３ｃの開口に直接当たることが無く、排水機構６５３ｃの開口から雨滴が減速室６５ｂに浸入することが防止される。
【００４５】
前記電装部カバー６５９は電装部ベース６５３を覆い、遮水壁６５３ａ，電装部前壁６５３ｆ、及び電装部後壁６５３ｇの上端面に接し、送風機室６４から気水が浸入しないように構成されている。
【００４６】
電装部カバー６５９の遮水壁６５３ａ側は遮水壁６５３ａを乗越えて送風機室６４側に延伸され、下方に折れ曲がった垂直壁に連なり、垂直壁がダクトカバー６５９ａとなって、ダクトカバー６５９ａと遮水壁６５３ａとの間を電装部品６５４ｂの冷却空気が流通するダクト６５ｃとしている。
【００４７】
前記防水壁６５３ｄは電装部カバー６５９との間に隙間を設け、収納室開口６５ｄとし、電装部品６５４ｂを冷却する空気が流通できるようにしてある。この防水壁６５３ｄの高さは最上部の通風開口６５３ｂの下端より上になるようにしてある。
【００４８】
前記ダクトカバー６５９ａより適宜離れた位置に遮水壁６５３ａから突出する邪魔板６５３ｅを設け、ダクトカバー６５９ａとの間でダクト６５ｃの送風機室開口６５ｅを構成する。
【００４９】
前記防水壁６５３ｄと電装部カバー６５９との間の隙間や、前記電装部カバー６５９の延伸長さや、ダクトカバー６５９ａの長さや、前記ダクトカバー６５９ａから邪魔板６５３ｅまでの距離は、収納室開口６５ｄやダクト６５ｃ内や送風機室開口６５ｅを電装部品６５４ｂの冷却空気が流通するのに支障の無い大きさにする必要があり、その流路断面積を、少なくとも、遮水壁６５３ａに設けられた複数の通風開口６５３ｂの合計開口面積より大きくすると良い。
【００５０】
また、前記邪魔板６５３ｅの突出長さは室外ファン６３１側から通風開口６５３ｂを見た時に邪魔板６５３ｅに遮られて通風開口６５３ｂが見えないようにする必要がある。これは、雨天時に室外ファン６３１に当たった雨適が室外ファン６３１の羽根に弾かれて勢いを得、直接、通風開口６５３ｂに達し、勢いの付いたまま通風開口６５３ｂを通過して減速室６５ｂ，防水壁６５３ｄを飛び越え電装部品収納室６５ａに浸入するのを防ぐためである。
【００５１】
このように、電装部品収納室６５ａから送風機室６４までの間に、収納室開口６５ｄ，減速室６５ｂ，通風開口６５３ｂ，ダクト６５ｃ，送風機室開口６５ｅからなる連通路が構成される。
【００５２】
また、配管接続バルブ７８からの冷媒配管を機械室６８内に引き込むため、配管接続バルブ７８付近の外筐６２には隙間が多く設けられており、これらの隙間を通して機械室６８と外気とが連通している。
【００５３】
次に、かかる構成の室外機６を運転した時の前記電装部品収納室６５ａと送風機室６４との連通路の通風状態を詳述する。
【００５４】
先ず、通常の運転時の挙動を冷房運転を例にして図３，図６，図７を使用して説明する。通常運転時は室外ファン６３１は図６の実線矢印方向に回転する。この時、室外機６の周りの空気は図３の黒矢印の如く流れ、送風機室６４は室外機６の周りより負圧になる。
【００５５】
このため、室外機６の配管接続バルブ７８の周辺の空気がこの部の隙間を通って機械室６８に吸込まれ、機械室６８を上昇して電装部品収納室６５ａの機械室開口６５３ｈを通って収納室６５ａに入る。
【００５６】
収納室６５ａに入った空気は、電装部品６５４ｂを冷却して、図７の実線矢印のように流れて、防水壁６５３ｄと電装部カバー６５９との間の収納室開口６５ｄ，減速室６５ｂ，通風開口６５３ｂ，ダクト６５ｃを通って送風機室開口６５ｅに至り、送風機室６４に吸込まれる。
【００５７】
通常運転時は、このように、室外ファン６３１の負圧を利用した空気の流れにより電装部品６５４ｂが冷却され、空気調和機１は正常に運転を継続することが出来る。
【００５８】
次に、雨天時の運転について図３，図６，図８を使用して説明する。図８は雨天時の連通路部の雨滴と気流を示す図である。
【００５９】
雨天の場合は、室外ファン６３１による室外機６周りの気流は正常運転時と変わらず、図３の黒矢印の如くになる。しかし、室外ファン６３１に雨水がかかり、羽根の回転によって弾き飛ばされて、図６の点線の矢印で示すように、勢い良く羽根の回転方向に飛び出す。
【００６０】
この時、雨滴の大部分は図８に示すようにダクトカバー６５９ａや邪魔板６５３ｅに遮られてダクト６５ｃに入ることは無い。一部の雨滴は送風機室開口６５ｅからダクト６５ｃに入るがそこで遮水壁６５３ａに衝突し、その上向きの運動エネルギーを自身の粘性，表面張力や重力に削がれて勢いを失い遮水壁６５３ａを伝わって落下する。
【００６１】
更に、ごく一部の雨滴が衝突時の衝撃で細かな水滴となって、気流中に飛び出すが実線矢印の方向に流れる電装部品６５４ｂの冷却風に押されて送風機室６４に戻され、通風開口６５３ｂを通過することはほとんど無い。
【００６２】
更に、ごく一部の上向きの運動エネルギーを得た水滴が重力と気流に逆らって上昇し、通風開口６５３ｂに達しても、通風開口６５３ｂがダクト６５ｃの流路断面積より小さく設定されているので、ここを図中右から左へ通る気流は速度が上がっていて、水滴を強力に送風機室６４側に押し戻す。
【００６３】
このように、雨天時でも雨水が電装部品収納室６５ａに浸入することは無く、また、室外ファン６３１の負圧を利用した空気の流れにより電装部品６５４ｂが冷却され、空気調和機１は正常に運転を継続することが出来る。
【００６４】
次に、雨天の悪天候時の運転について図３，図９，図１０，図１１を使用して説明する。図９は雨天で強逆風時に室外ファンの回転と雨滴の飛ぶ方向を示す図、図１０は雨天で強逆風時の連通路部の雨滴と気流を示す図、図１１は減速室の無い場合の連通路部の雨滴と気流を示す図である。
【００６５】
雨天の悪天候の時などには、据付状態によっては、通常の室外ファン６３１の送風方向とは異なった風の流れ方になる場合がある。極端な場合、例えば、室外ファン６３１からの風が吹出すファングリル６３５に真っ向から強風が当り、室外ファン６３１で生み出される風力に勝ると、通常とは逆の方向に風が流れ、図３の点線白矢印のように風が流れる。
【００６６】
更に極端な場合は、室外ファン６３１が強風の逆風に逆らえず、通常運転とは逆方向に回転し、図９の太線矢印で示す方向に回転する。これに伴い、室外ファン６３１にかかった雨水は羽根の回転方向に弾かれ、図９の太点線の矢印の如く勢い良く飛ばされる。
【００６７】
この場合、送風機室６４は室外機６の周りより正圧になり、電装部品収納室６５ａには、前述の通常運転と逆の順に空気が流れ電装部品を冷却する。すなわち、正圧となった送風機室６４の空気は図１０の実線矢印に示すように送風機室開口６５ｅからダクト６５ｃ，通風開口６５３ｂ，減速室６５ｂ，収納室開口６５ｄを通って収納室６５ａに押し込まれる。
【００６８】
収納室６５ａに入った空気は、電装部品６５４ｂを冷却して、機械室開口６５３ｈ，配管接続バルブ７８の周辺の隙間を通って室外機６の外に押し出される。
【００６９】
他方、室外ファン６３１で跳ね飛ばされた雨滴の大部分は図１０の太点線の矢印に示すように邪魔板６５３ｅに遮られるなどしてダクト６５ｃに入ることは無い。一部の雨滴は邪魔板６５３ｅをそれて天板６２２に衝突し、衝突時の衝撃で細かな水滴となって、送風機室６４の送風機室開口６５ｅ付近に漂う。
【００７０】
送風機室開口６５ｅ付近に漂う水滴は前述の送風機室６４から電装部品収納室６５ａに向かう気流に押され、送風機室開口６５ｅからダクト６５ｃに入るがそこで気流が上向きに方向を換えるため、送風機室開口６５ｅ付近に漂っていた水滴の大部分が遮水壁６５３ａに衝突し、勢いを失い遮水壁６５３ａを伝わって落下する。
【００７１】
また、落下した水滴は送風機室６４からの風に押し上げられて遮水壁６５３ａの面を通風開口６５３ｂに向かい上昇するが、水止壁６５５に当たりそれ以上通風開口６５３ｂ側には向かわない。この水止壁６５５は、邪魔板６５３ｅとは別に更に通風開口６５３ｂが直視できないように設けられている。別の言い方をすれば、水止壁６５５は、電装品箱の外部から通風開口６５３ｂへ向かう流れを邪魔するように設けられているとも言える。
【００７２】
更に、ごく一部の雨滴が遮水壁６５３ａとの衝突時の衝撃で更に細かな水滴となって、ダクト６５ｃ内の気流中に飛び出し、ダクト６５ｃ内の気流に取込まれ重力に逆らって上昇する。
【００７３】
上昇した水滴はダクト６５ｃの流路断面積より小さく設定された通風開口６５３ｂを通過するときに増速された気流に押されて、通風開口６５３ｂからほぼ水平方向に飛び出し、減速室６５ｂに入る。
【００７４】
減速室に入った気流は急速に減速され、減速室６５ｂにほぼ水平方向から飛び込んできた水滴の内の小さいものは、気流の減速に強く影響されて減速し、減速室６５ｂ内で沈降し始め、減速室６５ｂの底部に落下する。
【００７５】
減速室６５ｂにほぼ水平方向から飛び込んできた水滴の内の大きいものは、気流の減速の影響を余り受けずに、その慣性と重力の作用により、通風開口６５３ｂより高く設けられた防水壁６５３ｄに衝突し、勢いを失い防水壁６５３ｄを伝わって減速室６５ｂの底部に落下する。
【００７６】
減速室６５ｂの底部に落下した水滴は前面板６２１側の端部に設けられた排水機構６５３ｃに適宜集められ、送風機室６４側に排出され、電装部品収納室６５ａ内に浸透することは無い。
【００７７】
当然のことながら、この減速室６５ｂの機能は前述の雨天の正常運転の時も同様に働き、通風開口６５３ｂを通過する水滴が有った場合でも、水滴の収納室６５ａへの浸入を阻止することは言うまでも無い。
【００７８】
なお、減速室６５ｂが無い場合は、図１１に示すように電装部品収納室６５ａにほぼ水平方向から飛び込んできた水滴は、その慣性と重力の作用により、水平から僅かに下向き方向にほぼ直進し、電装部品６５４ｂやその搭載基板６５４ａに付着する恐れがある。
【００７９】
また、電装部品６５４ｂやその搭載基板６５４ａより手前で落下した場合でも、落下した水滴は電装部ベース６５３に溜り、基板６５４ａ側に流れて、基板６５４ａのはんだ面に接近し、信頼性を損ねる恐れがある。
【００８０】
本実施例のように水止壁６５５と減速室６５ｂを設けることにより、減速室６５ｂへの水滴浸入を防ぐことと、収納室６５ａとの区画である防水壁６５３ｄも備わり、この防水壁６５３ｄが落下した水滴の収納室への浸透も防ぐ役目を担うことが出来る。
【００８１】
この時、水滴と一緒に通風開口６５３ｂを通過してきた気流は流路の断面積が通風開口６５３ｂより大きく設定された減速室６５ｂに入り、減速され、若干の上昇気流となって前述の如く水平から僅かに下向き方向に直進する水滴を分離し、収納室開口６５ｄに至る。
【００８２】
このように、雨天で強風の逆風時でも雨水が電装部品収納室６５ａに浸入することは無く、また、強風による送風機室６４の正圧を利用した空気の流れにより電装部品６５４ｂが冷却され、空気調和機１は正常とは言えないが、運転を継続することが出来る。
【００８３】
以上説明したように、本実施例によれば、遮水壁より収納室側に、通風開口面積以上の流路断面を有する減速室と、通風開口より送風機室側の連通路となるダクトと、通風開口より送風機室側に設けた水止壁と、ダクトの送風機室側に、送風機の羽根の位置から通風開口が直視できないように、奥行と幅寸法がダクトより大きい邪魔板とを設け、更に水止壁６５５を設ける。
【００８４】
雨天の時に逆風で送風機が逆転し、送風機の羽根に当った雨水がはじかれて、送風機の逆転方向に飛び散っても、逆風時に送風機の羽根に弾かれた雨水は邪魔板に遮られて、直接、奥の通風開口に達することは無い。また、遮水壁に付着した水滴が送風機室からの風に押上げられて遮水壁の面を通風開口に向かい上昇しても、水止壁６５５に当たり、それ以上通風開口には向かわない。また万が一、気流に乗って運ばれた水滴が奥の通風開口を通過しても、通風開口を通った直後の減速室で通路の断面が急拡大するため気流は急速に減速し、気流に乗って運ばれた水滴の内の小さいものは、気流の減速に強く影響されて急速に減速する。このため、水滴は減速室を通過する間に、重力のため降下し、電装部品の収納室まで到達する前に減速室の底部に落下するので、水滴が電装部品の収納室まで到達することが無い。
【００８５】
また、減速室にほぼ水平方向から飛び込んできた水滴の内の大きいものは、気流の減速の影響を余り受けずに、その慣性と重力の作用により、通風開口より高く設けられた防水壁に衝突し、その運動エネルギーを自身の粘性，表面張力や重力に削がれて勢いを失い防水壁を伝わって減速室の底部に落下する。
【００８６】
このため、電装部品収納室への雨水の浸入を防ぎ、電装部の信頼性を向上させた空気調和機の室外機を得ることができる。
【図面の簡単な説明】
【００８７】
【図１】空気調和機の構成図。
【図２】室外機の内部構造斜視図。
【図３】室外機の天板を外した平面図。
【図４】室外機の前面板を外した正面図。
【図５】図４のＡＡ断面図。
【図６】室外ファンの回転と雨滴の飛ぶ方向を示す図。
【図７】通常時の連通路部の気流を示す図。
【図８】雨天時の連通路部の雨滴と気流を示す図。
【図９】雨天で強逆風時に室外ファンの回転と雨滴の飛ぶ方向を示す図。
【図１０】雨天で強逆風時の連通路部の雨滴と気流を示す図。
【図１１】減速室の無い場合の連通路部の雨滴と気流を示す図。
【符号の説明】
【００８８】
２  室内機
５  リモコン
６  室外機
８  接続配管
２１  筐体
２３  化粧枠
２５  前面パネル
２７  空気吸込み口
２９  空気吹出し口
６１  ベース
６２  外筐
６４  送風機室
６５  電装箱
６５ａ  収納室
６５ｂ  減速室
６５ｃ  ダクト
６５ｄ  収納室開口
６５ｅ  送風機室開口
６８  機械室
７３  室外熱交換器
７５  圧縮機
７６  アキュムレータ
７８  配管接続バルブ
８２  接続部開口
３９６  受光部
３９７  表示部
６１１  仕切板
６２１  前面板
６２１ａ  モータベース
６２１ｅ  ファンリング
６２１ｇ  開口基部
６２２  天板
６２３  側面板
６３１  室外ファン
６３３  送風モータ
６３５  ファングリル
６５３  電装部ベース
６５３ａ  遮水壁
６５３ｂ  通風開口
６５３ｃ  排水機構
６５３ｄ  防水壁
６５３ｅ  邪魔板
６５３ｆ  電装部前壁
６５３ｇ  電装部後壁
６５３ｈ  機械室開口
６５４  電装部
６５４ａ  基板
６５４ｂ  電装部品
６５５  水止壁
６５９  電装部カバー
【図１】
2008281286.tif 000003
【図２】
2008281286.tif 000004
【図３】
2008281286.tif 000005
【図４】
2008281286.tif 000006
【図５】
2008281286.tif 000007
【図６】
2008281286.tif 000008
【図７】
2008281286.tif 000009
【図８】
2008281286.tif 000010
【図９】
2008281286.tif 000011
【図１０】
2008281286.tif 000012
【図１１】
2008281286.tif 000013